(57)【要約】    【課題】  ２つ以上のドアを夫々独立して所望の位置に自動で動かすことができ、通常の使用状態において手動でドアの開閉ができ、従来と比べて装置が小型化できる自動引き違い扉開閉装置を提供すること。    【解決手段】  自動引き違い扉の障子２、３を駆動する１つのモータ１０と、モータ１０からの駆動力が伝達される駆動プーリー１１と、駆動プーリー１１からの駆動力を障子２、３に伝達するワイヤー１３と、障子２、３に設けられワイヤー１３からの駆動力で障子２、３を牽引するメカクラッチ２０とから構成する。【選択図】  図１
2009235858.tif 000002
【特許請求の範囲】
【請求項１】
少なくとも２つ以上の開閉体と、
前記開閉体を駆動する１つのモータと、
前記モータからの駆動力が伝達されるプーリーと、
前記プーリーからの駆動力を前記開閉体に伝達するワイヤーと、
前記開閉体に設けられ前記ワイヤーからの駆動力で前記開閉体を牽引するクラッチと、から構成された自動引き違い扉開閉装置。
【請求項２】
前記クラッチは連結と解除の切り替え時のみ電源を投入するメカクラッチである、ことを特徴とする請求項１に記載の自動引き違い扉開閉装置。
【発明の詳細な説明】
【技術分野】
【０００１】
本発明は、住宅やオフィスなどで使用される自動引き違い扉自動開閉装置に関する。
【背景技術】
【０００２】
従来の自動ドア開閉装置は、ガイドレールに左右走行自在に支持された自動ドアと、駆動プーリーと従動プーリーとの間に掛けられ、連結部を介して左右両方向に自動ドアを牽引する無端ベルトと、上記駆動プーリーに停電時に連結を解除する電磁クラッチを介し、減速機構なしに結合され、上記無端ベルトを周回させる、ステータに張り付けた圧電体とロータとを加圧接触させた構造の回転型超音波電動機とを具備している（例えば、特許文献１参照。）。
【特許文献１】実公平７−５５２５８号公報
【発明の開示】
【発明が解決しようとする課題】
【０００３】
しかしながら、従来の自動ドア開閉装置では、ドアはベルトに連結されているため、電動時のドアの動きが決まってしまう問題がある。具体的には２つのドアを有する場合には、２つのドアが同時に動いてしまう。
【０００４】
また、ドアの手動での開閉は停電時のみであり、通常の使用状態において手動ではドアの開閉ができない問題がある。
【０００５】
また、ベルトを使用するため、異音の発生しない最低曲げＲに依存した駆動装置の大きさとなってしまい、装置の大型化を招来する問題がある。
【０００６】
本発明は上記問題点に鑑みてなされたものであり、２つ以上のドアを夫々独立して所望の位置に自動で動かすことができ、通常の使用状態において手動でドアの開閉ができ、従来と比べて装置が小型化できる自動引き違い扉開閉装置を提供することを目的とする。
【課題を解決するための手段】
【０００７】
上記課題を解決するため、請求項１に記載の発明は、少なくとも２つ以上の開閉体と、
前記開閉体を駆動する１つのモータと、前記モータからの駆動力が伝達されるプーリーと、前記プーリーからの駆動力を前記開閉体に伝達するワイヤーと、前記開閉体に設けられ前記ワイヤーからの駆動力で前記開閉体を牽引するクラッチと、から構成される。
【０００８】
また、請求項２に記載の発明は、前記クラッチは連結と解除の切り替え時のみ電源を投入するメカクラッチである、ことを特徴とする。
【発明の効果】
【０００９】
請求項１に記載の発明では、ワイヤーからの駆動力で開閉体を牽引するクラッチを備えるため、クラッチの連結と解除を切り替えることで、２つ以上の開閉体を使用者が所望する位置に独立して動かすことができる。また、通常の使用状態においてクラッチの連結を解除することで夫々の開閉体を手動で操作できる。また、モータからの駆動力を開閉体に伝達するのにワイヤーを使用することで、ベルトに比べて異音の発生しない最低曲げＲが小さく、また３次元的に配策することができ、配策の自由度から装置の小型化が可能になる。
【００１０】
また、請求項２に記載の発明では、連結と解除の切り替え時のみ電源を投入するメカクラッチを使用することで、電源投入時間が低減され、メカクラッチの発熱が抑えられる。また、発熱が抑えられることで冬季にはメカクラッチ内の結露発生を従来より低減することができ、装置の信頼性が向上する。また、電源投入時間が低減されることで、ランニングコストが低減する。
【発明を実施するための最良の形態】
【００１１】
以下に本発明の実施形態を図面を参照しつつ詳細に説明する
図１は、本発明の自動引き違い扉開閉装置１の全体構成を示す説明図である。自動引き違い扉開閉装置１は、引き違い扉の障子２、３（開閉体）と、駆動源であるモータ１０と、モータ１０からの駆動力で回転する駆動プーリー１１と、駆動プーリー１１と従動プーリー１２の間に掛けられたワイヤー１３と、ワイヤー１３からの駆動力で障子２、３を牽引するメカクラッチ２０とから構成される。
【００１２】
図２は、障子２へのメカクラッチ２０の取付状態を示す斜視図である。メカクラッチ２０は、中かまち１４内にネジ１５により固定される。障子３も同様の構造である。
【００１３】
図３は、メカクラッチ２０の詳細を示す説明図である。メカクラッチ２０は、メカクラッチ機構部２１と、連結と解除の切り替えを行うモータ２２と、モータ２２からの動力が伝達されるウォームギア２３と、ウォームギア２３からの動力が伝達される平ギア２４と、平ギア２４からの動力を受る可動ピン２５と、可動ピン２５からの動力が伝達されるリングカム２６とから構成される。モータ２２の回転動力は、リングカム２６の回転（スライド）方向の可動力に変換される。
【００１４】
図４は、クラッチ機構部２１の断面図である。メカクラッチ機構部２１は、ワイヤーが巻回されるワイヤー駆動プーリー２７と、ワイヤー駆動プーリー２７を固定するプーリー固定板２８と、ワイヤー駆動プーリー２７の回転軸２９と、第１摩擦板３０と、第２摩擦板３１と、第１の摩擦板３０と第２の摩擦板３１を押圧するスプリング３２と、リングカム３２を固定するリングカム固定板３３と、クラッチ体３４とから構成される。リングカム２６が回転すると、クラッチ体３４のカム形状による高さの違いから、リングカム３２の回転（スライド）を回転軸２９の方向の推力に変換する。
【００１５】
クラッチ機構部２１の作動について説明する。
【００１６】
（クラッチ解除）
リングカム２６の回転により、クラッチ体３４を押し下げることにより、第１摩擦板３０と第２摩擦板３１を離してクラッチを切る。
【００１７】
（クラッチ連結）
リングカム２６を回転させ、クラッチ体３４のカム（山）から解放することにより、クラッチ体３４をスプリング３２により押し上げ、第１摩擦板３０と第２摩擦板３１を接触させることによりクラッチを連結する。
【００１８】
本発明の自動引き違い扉開閉装置１では、ワイヤー１３からの駆動力で障子２、３を牽引するメカクラッチ２０を備えるため、メカクラッチ２０の連結と解除を切り替えることで、２つ以上の障子２、３を使用者が所望する位置に独立して動かすことができる。また、通常の使用状態においてメカクラッチ２０の連結を解除することで夫々の障子２、３を手動で操作できる。また、モータ１０からの駆動力を障子２、３に伝達するのにワイヤー１３を使用することで、異音の発生しない最低曲げＲが小さく、また３次元的に配策することができ、配策の自由度から装置の小型化が可能になる。
【００１９】
また、連結と解除の切り替え時のみ電源を投入するメカクラッチ２０を使用することで、電源投入時間が低減され、装置の発熱が抑えられる。また、発熱が抑えられることで冬季にはメカクラッチ２０内の結露発生を従来の装置より低減することができ、メカクラッチ２０の信頼性が向上する。また、電源投入時間が低減されることで、ランニングコストが低減する。
【図面の簡単な説明】
【００２０】
【図１】本発明の自動引き違い扉開閉装置の全体構成を示す説明図である。
【図２】障子へのメカクラッチの取付状態を示す斜視図である。
【図３】メカクラッチの詳細を示す説明図である。
【図４】クラッチ機構部の断面図である。
【符号の説明】
【００２１】
１  自動引き違い扉開閉装置
２  障子（開閉体）
３  障子（開閉体）
１０  モータ
１１  駆動プーリー（プーリー）
１３  ワイヤー
２０  メカクラッチ（クラッチ）
【図１】
2009235858.tif 000003
【図２】
2009235858.tif 000004
【図３】
2009235858.tif 000005
【図４】
2009235858.tif 000006